(57)【要約】【課題】吸液性、ドライタッチ感等のメッシュシートによる利点を生かしながら、肌触り感の改善や吸液後における逆戻り防止、貼り付き感の低減を図るようにする。【解決手段】所定パターンのエンボスが付与された多孔性プラスチック表面シート３と不透液性裏面シート２との間に吸収体４が介在された吸収性物品において、前記多孔性プラスチック表面シート３は、体液排出部位Ｈ及びその近傍領域を含む第１領域８において、隣接するエンボス７，７…間の中心間隔を５〜１０ｍｍとするエンボスパターンとし、かつ前記第１領域８以外の第２領域９において、隣接するエンボス７，７…間の中心間隔を０．５〜２ｍｍとするエンボスパターンとする。また、前記第１領域８においてエンボス７、７…による厚み方向の高低差を０．５〜３ｍｍとし、前記第２領域９においてエンボス７，７…による厚み方向の高低差を０．０５〜１ｍｍとする。【選択図】  図１
2004298422.tif 000002
【特許請求の範囲】
【請求項１】
所定パターンのエンボスが付与された多孔性プラスチック表面シートと裏面シートとの間に吸収体が介在された吸収性物品において、
前記多孔性プラスチック表面シートは、体液排出部位及びその近傍領域を含む第１領域において、隣接するエンボス間の中心間隔を５〜１０ｍｍとするエンボスパターンとし、かつ前記第１領域以外の第２領域において、隣接するエンボス間の中心間隔を０．５〜２ｍｍとするエンボスパターンとしたことを特徴とする吸収性物品。
【請求項２】
前記第１領域においてエンボスによる厚み方向の高低差を０．５〜３ｍｍとし、前記第２領域においてエンボスによる厚み方向の高低差を０．０５〜１ｍｍとしてある請求項１記載の吸収性物品。
【請求項３】
前記第１領域においてエンボスの径は１〜５ｍｍとし、前記第２領域においてエンボスの径は０．５〜２ｍｍとしてある請求項１，２いずれかに記載の吸収性物品。
【請求項４】
前記多孔性プラスチック表面シートは、該表面シート全露出面積に対して前記第１領域が１０〜４０％の範囲とし、前記第２領域が６０〜９０％としてある請求項１〜３いずれかに記載の吸収性物品。
【請求項５】
前記吸収性物品が昼用生理用ナプキンである場合、前記第１領域は、体液排出部位の中心点から前側方向及び後側方向にそれぞれ１０〜５０ｍｍの領域とし、前記吸収性物品が夜用生理用ナプキンである場合、体液排出部位の中心点から前側方向に１０〜３０ｍｍ、後側方向に３０〜１００ｍｍの領域としてある請求項１〜４いずれかに記載の吸収性物品。
【請求項６】
前記多孔性プラスチック表面シートと吸収体との間に親水性繊維シートが介在されている請求項１〜５いずれかに記載の吸収性物品。
【請求項７】
前記親水性繊維シートはエアースルー不織布を用いている請求項６記載の吸収性物品。
【請求項８】
前記親水性繊維シートはスパンボンド不織布を用いている請求項６記載の吸収性物品。
【発明の詳細な説明】
【０００１】
【発明の属する技術分野】
本発明は、主には生理用ナプキン、おりものシート、失禁パッド、医療用パッド、トイレタリー等に使用される吸収性物品であって、詳しくは吸液性、逆戻り防止、肌への貼り付き防止（ドライ感）、肌触り感などをバランス良く満たした吸収性物品に関する。
【０００２】
【従来の技術】
従来より、パンティライナー、生理用ナプキン、失禁パッドなどの吸収性物品として、ポリエチレンシートまたはポリエチレンシートラミネート不織布などの不透液性裏面シートと、不織布または透液性プラスチックシートなどの透液性表面シートとの間に綿状パルプ等からなる吸収体を介在したものが知られている。
【０００３】
前記吸収性物品において、肌に対するドライタッチ感を満足するとともに、体液の吸収性を高めるために、前記透液性表面シートとして熱融着性の疎水性多孔プラスチックシート（所謂、メッシュシート）を使用したものが市場に多く提供されている。メッシュシートを使用した吸収性物品に関しては、例えば下記特許文献１〜３などを挙げることができる。
【０００４】
【特許文献１】
特開平７−３２８０６０号公報
【特許文献２】
特開平８−１１７２７７号公報
【特許文献３】
特開平１０−２７２１５２号公報
【０００５】
【発明が解決しようとする課題】
確かに、メッシュシートを表面シートとして使用した吸収性物品の場合、体液が排出されると、透液性の高いメッシュシートを通り、親水性繊維シートや吸収体に体液が速やかに吸収されるようになり、体液吸収後にもドライタッチ感が得られるようになるけれども、前記親水性繊維シートに体液が吸収されかつそのまま保持される状態になると、以降の体液排出時に体液吸収速度が低下する傾向が見られるとともに、体液の逆戻りが生じるようになる。また、次第にドライタッチ感が失われ、貼り付き感を感じるようになるなどの問題が生じていた。また、メッシュシートの場合にはエンボスが肌に対してざらつき感を与えるため違和感を感じることがあるなどの問題もある。
【０００６】
そこで本発明の主たる課題は、吸液性、ドライタッチ感等のメッシュシートによる利点を生かしながら、肌触り感の改善や吸液後における逆戻り防止、貼り付き感の低減を図った吸収性物品を提供することにある。
【０００７】
【課題を解決するための手段】
前記課題を解決するために請求項１に係る本発明として、所定パターンのエンボスが付与された多孔性プラスチック表面シートと裏面シートとの間に吸収体が介在された吸収性物品において、
前記多孔性プラスチック表面シートは、体液排出部位及びその近傍領域を含む第１領域において、隣接するエンボス間の中心間隔を５〜１０ｍｍとするエンボスパターンとし、かつ前記第１領域以外の第２領域において、隣接するエンボス間の中心間隔を０．５〜２ｍｍとするエンボスパターンとしたことを特徴とする吸収性物品が提供される。
【０００８】
本発明者がメッシュシートに形成されるエンボスパターンと、吸液性、ドライタッチ感、肌触り感、逆戻り性、貼り付き感との関係を調べたところ、大きいピッチのエンボスパターンの場合は、肌との接触面積が増大するため吸液性が上がり体液が表面に残らないためドライタッチ感が良好であるが、ドライ時にはエンボスがざらつき感を与え肌触りが悪くなる。一方、細かいピッチのエンボスパターンの場合には、エンボスが与えるざらつき感が少なく肌触りが良好であるとともに、汗をかいた時やドライ時には接触面積が少ないため貼り付き感も少ないけれども、吸液後には吸液性が小さいため表面に体液が残りべた付き感を感じる、との知見を得ることができた。別の視点から整理してみると、大きいピッチのエンボスパターンの場合は、吸液時および吸液後（ウェット時）の諸特性に優れ、細かいピッチのエンボスパターンの場合には、吸液前（ドライ時）の諸特性に優れている、との知見を得た。
【０００９】
従って、上記請求項１記載の発明においては、エンボスパターンを部位毎に変化させることにより、すべての要求機能をバランス良く満足させるようにした。具体的には、体液排出部位及びその近傍領域を含む第１領域においては隣接するエンボス間の中心間隔を５〜１０ｍｍとするエンボスパターンとし、かつ前記第１領域以外の第２領域においては隣接するエンボス間の中心間隔を０．５〜２ｍｍ以下とするエンボスパターンとした。その結果、吸液前においては相対的に面積が多くなる前記第２領域の細かいエンボスパターンが貼り付き感の低減、良好な肌触り感を与え、吸液時及び吸液後においては主たる体液の吸収領域となる前記第１領域の大きなエンボスパターンが吸液性、ドライタッチ感を発揮するようになるため、すべての要求機能をバランス良く満足した吸収性物品となる。
【００１０】
請求項２に係る本発明として、前記第１領域においてエンボスによる厚み方向の高低差を０．５〜３ｍｍとし、前記第２領域においてエンボスによる厚み方向の高低差を０．０５〜１ｍｍとしてある請求項１記載の吸収性物品が提供される。
【００１１】
上記請求項２記載の本発明においては、体液排出部位を含む第１領域においては体液の逆戻りを防止するとともに、吸収体に吸収された体液の隠蔽性を上げるために高低差を大きくし、第２領域においては肌触り感を上げるため高低差を小さくした。
【００１２】
請求項３に係る本発明として、前記第１領域においてエンボスの径は１〜５ｍｍとし、前記第２領域においてエンボスの径は０．５〜２としてある請求項１，２いずれかに記載の吸収性物品が提供される。
【００１３】
請求項４に係る本発明として、前記多孔性プラスチック表面シートは、該表面シートの全露出面積に対して前記第１領域が１０〜４０％の範囲とし、前記第２領域が６０〜９０％としてある請求項１〜３いずれかに記載の吸収性物品が提供される。
【００１４】
請求項５に係る本発明として、前記吸収性物品が昼用生理用ナプキンである場合、前記第１領域は、体液排出部位の中心点から前後方向に±１０〜５０ｍｍの領域とし、前記吸収性物品が夜用生理用ナプキンである場合、体液排出部位の中心点から前側方向に１０〜３０ｍｍ、後側方向に３０〜１００ｍｍの領域としてある請求項１〜４いずれかに記載の吸収性物品が提供される。
【００１５】
請求項６に係る本発明として、前記多孔性プラスチック表面シートと吸収体との間に親水性繊維シートが介在されている請求項１〜５いずれかに記載の吸収性物品が提供される。前記親水性繊維シートを表面シートの下面側に配設することにより、吸収速度が向上するようになる。
【００１６】
請求項７に係る本発明として、前記親水性繊維シートはエアースルー不織布を用いている請求項６記載の吸収性物品が提供される。
【００１７】
請求項８に係る本発明として、前記親水性繊維シートはスパンボンド不織布を用いている請求項６記載の吸収性物品が提供される。
【００１８】
上記請求項７，８記載の発明において、比較的ソフトで嵩のあるエアスルー不織布またはスパンボンド不織布を使用することにより、クッション性が与えられ装着感が良好になるとともに、保水能力が高くなる。
【００１９】
【発明の実施の形態】
以下、本発明の実施の形態について図面を参照しながら詳述する。図１は本発明に係る生理用ナプキン１の一部破断斜視図である。
【００２０】
生理用ナプキン１は、主にはパンティライナー、生理用ナプキン、おりものシート、失禁パッドなどの用途に供されるもので、例えば図１に示されるように、不透液性裏面シート２と、疎水性の多孔性プラスチック表面シート３との間に、吸収体４またはクレープ紙４Ａによって囲繞された吸収体４が介在されるとともに、両側部に夫々サイド不織布５，５を有し、かつ前記多孔性プラスチック表面シート３と吸収体４との間に親水性シート６を配置した構造となっている。前記吸収体４の周囲においては、前記不透液性裏面シート２と多孔性プラスチック表面シート３又はサイド不織布５とがホットメルト接着剤等の接着手段によって接合されている。
【００２１】
前記不透液性裏面シート２は、ポリエチレン、ポリプロピレン等の少なくとも遮水性を有するシート材が用いられるが、この他に防水フィルムを介在して実質的に不透液性を確保した上で不織布シート（この場合には、防水フィルムと不織布とで不透液性裏面シートを構成する。）などを用いることができる。近年はムレ防止の観点から透湿性を有するものが好適に用いられる傾向にある。この遮水・透湿性シート材としては、ポリエチレンやポリプロピレン等のオレフィン系樹脂中に無機充填剤を溶融混練してシートを成形した後、一軸または二軸方向に延伸することにより得られる微多孔性シートが好適に用いられる。
【００２２】
前記多孔プラスチック表面シート３は、プラスチックシートに多数の開孔を形成したもの（以下、メッシュシート３という。）が用いられる。この素材シートとしては、例えばポリエチレン、ポリプロピレン等のオレフィン系樹脂が好適に使用されるが、ポリエステルや、ナイロンなどのポリアミド系樹脂、ＥＶＡなども使用することができる。
【００２３】
前記メッシュシート３の開孔の径は、０．０５〜３．０ｍｍ、好ましくは０．１〜２．０ｍｍ、より好ましくは０．５〜１．５ｍｍとし、その開孔数は１００〜５００個／ｃｍ２、好ましくは２００〜４００個／ｃｍ２程度とするのが望ましい。前記開孔を形成するには、合成樹脂シートを軟化温度付近に軟化させて、多数の開孔を有する支持体の上面に位置させた状態で、支持体の下方から吸引したり、支持体の上面から空気圧を加圧したりする方法や、合成樹脂シート素材に多数のスリットを刻入した後にシート素材を延伸して開孔させる方法などがあるが、適宜の方法によって形成することができる。
【００２４】
サイド不織布５，５を構成する素材繊維としては、たとえばポリエチレンまたはポリプロピレン等のオレフィン系、ポリエステル系、ポリアミド系等の合成繊維の他、レーヨンやキュプラ等の再生繊維、綿等の天然繊維を撥水加工したものなどを用いることができる。
【００２５】
加工法については、スパンレース法、スパンボンド法、サーマルボンド法、メルトブローン法、ニードルパンチ法、エアレイド法等の適宜の加工法によって得られた不織布を用いることができる。これらの加工法の内、スパンレース法は柔軟性、ドレープ性に富む点で優れ、サーマルボンド法は嵩高でソフトである点で優れている。
【００２６】
これら不透液性裏面シート２と透液性表面シート３との間に介在される吸収体４は、たとえばパルプ中に高吸水性樹脂を混入したもの、或いはパルプ中に化学繊維を混入させるとともに、高吸水性樹脂を混入したものが使用される。前記吸収体４は、図示のように、形状保持、および経血等を速やかに拡散させるとともに、一旦吸収した経血等の逆戻りを防止するためにクレープ紙４Ａによって囲繞するのが望ましい。前記パルプとしては、木材から得られる化学パルプ、溶融パルプ等のセルロース繊維や、レーヨン、アセテート等の人工セルロース繊維からなるものが挙げられ、広葉樹パルプよりは繊維長の長い針葉樹パルプの方が機能および価格の面で好適に使用される。
【００２７】
前記高吸水性樹脂としては、たとえばポリアクリル酸塩架橋物、自己架橋したポリアクリル酸塩、アクリル酸エステル−酢酸ビニル共重合体架橋物のケン化物、イソブチレン・無水マレイン酸共重合体架橋物、ポリスルホン酸塩架橋物や、ポリエチレンオキシド、ポリアクリルアミドなどの水膨潤性ポリマーを部分架橋したもの等が挙げられる。これらの内、吸水量、吸水速度に優れるアクリル酸またはアクリル酸塩系のものが好適である。前記吸水性能を有する高吸水性樹脂は製造プロセスにおいて、架橋密度および架橋密度勾配を調整することにより吸水力と吸水速度の調整が可能である。前記高吸水性樹脂の含有率は１０〜６０％とするのが望ましい。高吸水性樹脂含有率が１０％未満の場合には、十分な吸収能を与えることができず、６０％を超える場合にはパルプ繊維間の絡み合いが無くなり、シート強度が低下し破れや割れ等が発生し易くなる。
【００２８】
前記メッシュシート３と吸収体４との間に配置される親水性繊維シート６は、体液に対して親水性を有するものであればよい。具体的には、レーヨンやキュプラ等の再生繊維、綿等の天然繊維を用いることにより素材自体に親水性を有するものを用いるか、ポリエチレンまたはポリプロピレン等のオレフィン系、ポリエステル系、ポリアミド系等の合成繊維を親水化剤によって表面処理し親水性を付与した不織布を用いることができる。これらの素材の中でも特に、エアースルー不織布またはスパンボンド不織布を用いるのが望ましい。比較的ソフトで嵩のあるエアスルー不織布又はスパンボンド不織布を使用することにより、クッション性が与えられ装着感が良好になるとともに、保水能力が高くなる。なお、メッシュシート３と離間するのを防止するためホットメルト接着剤により部分的に接着するのが良い。
【００２９】
本発明では特に、前記メッシュシート３において、エンボスパターンを領域毎に変化させることにより、表面シート３として要求されるすべての機能、品質をバランス良く満足させるようにしてある。
【００３０】
具体的には、図示例では前記メッシュシート３を、前記体液排出部位Ｈ及びその近傍領域を含むように、例えば小判形状に画成された第１領域８と、この第１領域８以外の第２領域９とに画成し、前記第１領域８においては、図３に示されるように、縦列方向及び横列方向に一定の間隔をおいた格子状のエンボスパターンが付与されるとともに、隣接するエンボス７，７間の中心間隔ＰＨ、ＰＶ、ＰＱが５．０〜１０．０ｍｍ、好ましくは６〜８ｍｍとされる。前記中心間隔ＰＨ、ＰＶ、ＰＱが５．０ｍｍ未満である場合には、後述の実験例に示されるように、吸液時に肌への接触面積が少ないため吸液性が低下するとともに、吸液後に下層の親水性繊維シート６との離間が確保できず体液の逆戻りが多くなる。また、表面に体液が残ることにより貼り付き感が感じられるようになる。逆に、前記中心間隔ＰＨ、ＰＶ、ＰＱが１０．０ｍｍを超える場合には、ドライ時に肌へのざらつき感が顕著となり肌触りが悪化するようになる。
【００３１】
一方、前記第２領域９においては、前記第１領域８と同様に、縦列方向及び横列方向に一定の間隔をおいた格子状のエンボスパターンが付与されるが、隣接するエンボス７，７間の中心間隔ＰＨ、ＰＶ、ＰＱは０．５〜２ｍｍ、好ましくは０．５〜１ｍｍとされる。前記中心間隔ＰＨ、ＰＶ、ＰＱが０．５ｍｍ未満である場合には、吸液性が低下するとともに、ウェット時に表面に体液が残るため貼り付き感が出るようになり肌触りが悪化する。逆に、前記中心間隔ＰＨ、ＰＶ、ＰＱが２．０ｍｍを超える場合には、ドライ時の肌触り感を満足し得ない。
【００３２】
前記第１領域８において、隣接するエンボス７，７間の中心間隔を５〜１０ｍｍとし、前記第２領域９において、隣接するエンボス７，７間の中心間隔を０．５〜２ｍｍとすることにより、吸液前においては相対的に面積が多くなる前記第２領域９の細かいエンボスパターンが良好な肌触り感を与え、吸液時及び吸液後においては主たる体液の吸収領域となる前記第１領域８の大きなエンボスパターンが吸液性、ウエット時の逆戻り防止、貼り付き感の低減を図るようになるため、すべての要求機能をバランス良く満たしたものとなる。前記第１領域８はメッシュシート３の全露出面積に対して１０〜４０％とし、前記第２領域９は６０〜９０％とするのが望ましい。前記第１領域８の比率が１０％未満である場合には、体液を効果的に吸収することができない。また、比率が４０％を超える場合には、表面全体の肌触り感が悪くなってしまう。
【００３３】
なお、エンボス７の平面形状は図示例では円形としたが、楕円形、三角形、四角形、星形等の任意形状とすることができる。また、前記エンボスパターンは、一般的には格子状とするのが望ましいが、菱形格子等、任意なパターンとすることができる。また、エンボス付与方法は熱圧着による方法を採用することができる。
【００３４】
また、図４に示されるように、前記第１領域８においては、エンボス７，７…による厚み方向の高低差ｈを０．５〜３ｍｍとし、前記第２領域９においては、エンボス７，７…による厚み方向の高低差ｈを０．０５〜１ｍｍとするのが望ましい。前記第１領域８においては高低差ｈを０．５〜３ｍｍと上げることにより、親水性繊維シート６との離間が確保されるため、体液の逆戻り防止効果をより顕著に発揮するようになるとともに、隠蔽性を上げ吸収体４に吸収された経血を見えにくくする。一方、前記第２領域９において高低差を０．０５〜１ｍｍと小さくすることにより接触面積を小さくすることにより、ドライ時の貼り付き感や肌触り感をより向上させることが可能となる。
【００３５】
また、エンボス径に関しては、前記第１領域８においては径Ｒを１〜５ｍｍと大きくすることにより表面に残った体液と肌とが接触するのを防止し、前記第２領域９においては径Ｒを０．５〜２ｍｍと小さくすることにより肌触り感を向上させるようにするのが望ましい。
【００３６】
前記第１領域８の形成範囲は、図１に示される昼用生理用ナプキン１の場合には、体液排出部位Ｈの中心から前側方向及び後側方向にそれぞれ１０〜５０ｍｍ、好ましくは２０〜３０ｍｍの領域ＬＦ、ＬＢとするのが望ましい。一般的なナプキンの場合は９ｃｃ程度で体液のほぼ全量をカバーすることができ、その際に前後方向の拡散面積を調べた結果、上記数値範囲とすれば良いことが判明した。前記体液排出部位Ｈの位置は、長手方向のほぼ中央位置、ウイングを有する場合にはウイング中央位置、両側縁部に弧状に括れを有する場合にはその中央位置、或いは表面の両側に長手方向に沿ってサイドエンボスを有する場合にはその中央位置というように認定される。
【００３７】
また、図５に示される夜用ナプキン１Ａの場合には、体液排出部位Ｈの中心点から前側方向に１０〜３０ｍｍ、好ましくは１０〜２０ｍｍの領域ＬＦとし、後側方向に３０〜１００ｍｍ、好ましくは３０〜６０ｍｍの領域ＬＢとするのが望ましい。夜用ナプキン１Ａの場合には臀部を伝わって流れるため後方の拡散面積が大きくなるため、後方側領域ＬＢを大きく取るようにする。前記体液排出部位Ｈの位置は、ウイングＷ、Ｗの中央位置、或いは両側縁部に弧状に括れを有する場合にはその中央位置というように認定される。
【００３８】
〔他の形態例〕
（１）上記形態例では第１領域８の両側に第２領域９が存在し、全体として第１領域８を第２領域９が囲むようにしたが、前記第１領域８の区間ＬＦ、ＬＢにおいてメッシュシート３の全幅を第１領域８としてもよい。すなわち、ナプキン１の前側又は後側から直列的に第２領域９、第１領域８、第２領域９の順で並ぶようにしてもよい。
【００３９】
【実施例】
厚み；０．４４９ｍｍ、開口率；２４％、開口面積；０．１１５ｍｍ２、開口数；２０７個／ｃｍ２のメッシュシートに対して、異なる径及びピッチの格子状エンボスを付与したサンプルシートを準備し、エンボスパターンと接触面積との相関を評価するために貼り付き試験（ドライ状態）を行うとともに、エンボスによる厚み方向の高低差と逆戻りとの相関を評価するためにべた付き試験（ウェット状態）を行った。前記貼り付き試験は、２０×７．５ｍｍのカットサンプルをシリコン性ゴム（半径１０ｃｍの球体、３ｋｇ）下に３分間放置した後、３０ｃｍの高さに持ち上げた時に剥がれ落ちるまでの秒数を測定する試験であり、べた付き試験は、各サンプルシートを用いたナプキンに、人工経血３ｃｃ注入後３分間放置し、さらに３ｃｃ注入した後、１００ｇ荷重下に濾紙をおき逆戻り量を測定する試験である。
【００４０】
前記貼り付き試験の評価は、装着１時間後の表面の貼り付き感について、非常に良い（＋３）〜同じ（０）〜非常に悪い（−３）の７段階で評価してもらい、８名の評価値を合計した。前記べた付き試験の評価は、実使用１時間後の経血が出た状態で、べたつき感について、非常に良い（＋３）〜同じ（０）〜非常に悪い（−３）の７段階で評価してもらい、８名の評価値を合計した。
その結果を下表１に示すとともに、図６及び図７に横軸をエンボスピッチ（ｍｍ）、縦軸を試験値としてグラフ化した。
【００４１】
【表１】
2004298422.tif 000003
【００４２】
図６は横軸をエンボスピッチ（ｍｍ）、縦軸をはりつき試験（秒）としたグラフである。同図からエンボスピッチが５ｍｍを超えたところから曲線が急激に上昇していることが分かる。エンボスピッチと接触面積との間にはエンボスピッチが大きくなると接触面積が大きくなるという正比例の相関があり、同グラフからエンボスピッチを５ｍｍ以上とすることにより接触面積の増大により吸液性を上げ、体液が表面に残らないようにすることが可能であるため、前記第１領域８におけるエンボス間隔は５ｍｍ以上とするのが望ましいことが判明した。
【００４３】
また、図７は横軸をエンボスピッチ（ｍｍ）、縦軸をべた付き試験（ｇ）としたグラフである。同図からエンボスピッチが５ｍｍを超えたところから曲線が急激に下降していることが分かる。エンボスピッチと高低差との間にはエンボスピッチが大きくなると拘束が小さくなり高低差が大きくなるという正比例の相関があり、同グラフからエンボスピッチを５ｍｍ以上とすることにより高低差の増大によりべた付き感を急激に減少させることが可能であるため、前記第１領域８におけるエンボス間隔は５ｍｍ以上とするのが望ましいことが判明した。
【００４４】
【発明の効果】
以上詳説のとおり本発明によれば、吸液性、ドライタッチ感等のメッシュシートによる利点を生かしながら、肌触り感の改善や吸液後における逆戻り防止、貼り付き感の低減を図ることができ、表面シートに要求されるすべての機能をバランス良く満足させることが可能となる。
【図面の簡単な説明】
【図１】本発明に係る生理用ナプキン１の一部破断平面図である。
【図２】その横断面図である。
【図３】エンボスパターンを示す要部平面図である。
【図４】その要部拡大断面図である。
【図５】夜用ナプキン１Ａの一部破断平面図である。
【図６】貼り付き試験結果を示すグラフである。
【図７】べた付き試験結果を示すグラフである。
【符号の説明】
１…生理用ナプキン、２…不透液性裏面シート、３…多孔性プラスチック表面シート（メッシュシート）、４…吸収体、４Ａ…クレープ紙、５…サイド不織布、６…親水性繊維シート、７…エンボス、８…第１領域、９…第２領域
【図１】
2004298422.tif 000004
【図２】
2004298422.tif 000005
【図３】
2004298422.tif 000006
【図４】
2004298422.tif 000007
【図５】
2004298422.tif 000008
【図６】
2004298422.tif 000009
【図７】
2004298422.tif 000010